【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
強磁性体の音響信号伝導体に沿って移動可能な物体の位置を検出する位置検出方法であって、
信号送信器に接続された信号入力カプラによって前記音響信号伝導体に音響信号をクロック式に入力結合するステップと、
入力結合された前記音響信号を信号出力カプラによって抽出し、この抽出された信号を評価回路が評価して、前記物体の瞬間的な位置を表す信号を生成するステップとを備え、
前記音響信号の入力結合に起因する前記音響信号伝導体の残留磁化を補償するために、前記音響信号を入力結合した後に、前記音響信号により生成される磁界とは反対向きの磁界を与えるようにしたことを特徴とする位置検出方法。
【請求項２】
補償エネルギーとして、前記音響信号の位相とは反対の位相を有する音響補償信号を、前記音響信号伝導体に入力結合するようにしたことを特徴とする請求項１に記載の位置検出方法。
【請求項３】
前記音響補償信号は、以前に入力結合された音響信号よりも長さが短く、かつ振幅が小さく、前記音響信号伝導体の強磁性体のヒステリシス・ループに対応するものを使用することを特徴とする請求項２に記載の位置検出方法。
【請求項４】
強磁性体の音響信号伝導体に沿って移動可能な物体の位置を検出する位置検出方法であって、
信号送信器に接続された信号入力カプラによって前記音響信号伝導体に音響信号をクロック式に入力結合するステップと、
入力結合された前記音響信号を信号出力カプラによって抽出し、この抽出された信号を評価回路が評価して、前記物体の瞬間的な位置を表す信号を生成するステップとを備え、
前記音響信号を前記音響信号伝導体に入力結合した後にそれぞれのケースで、入力結合された音響信号とは反対の位相を有するいくつかの音響補償信号を、初めおよびその後のそれぞれのケースで、位相を変化させ、かつ振幅を低減して入力結合することを特徴とする位置検出方法。
【請求項５】
前記音響補償信号は、指数曲線に従って低下する振幅を有する信号であることを特徴とする請求項４に記載の位置検出方法。
【請求項６】
前記移動物体に位置する前記信号入力カプラが前記移動物体とともに移動し、前記音響信号伝導体の少なくとも一端に隣接する信号出力カプラによって前記音響信号が抽出されることを特徴とする請求項１又は４に記載の位置検出方法。
【請求項７】
前記音響信号伝導体の一端に隣接する信号入力カプラにより前記音響信号伝導体に前記音響信号が入力結合され、該音響信号は前記移動物体に位置する前記信号出力カプラによって抽出されることを特徴とする請求項１又は４に記載の位置検出方法。
【請求項８】
入力結合された音響信号と以降の音響補償信号との間に、前記音響信号の波長よりも長い時間間隔が設定されることを特徴とする請求項１又は４に記載の位置検出方法。
【請求項９】
前記音響信号の入力結合に起因する前記音響信号伝導体の残留磁化が事実上補償されることを特徴とする請求項１又は４に記載の位置検出方法。
【請求項１０】
対応する反対方向の磁界を形成するために、前記音響信号の入力結合に起因する前記音響信号伝導体の残留磁化が過補償されることを特徴とする請求項１又は４に記載の位置検出方法。
【請求項１１】
前記物体が垂直シャフトに沿って移動可能なリフト・ケージであることを特徴とする請求項１又は４に記載の位置検出方法。
【請求項１２】
強磁性体の音響信号伝導体に沿って移動可能な物体の位置を検出する位置検出装置において、
信号送信器に接続され、前記音響信号伝導体に音響信号をクロック式に入力結合する信号入力カプラと、
前記物体の瞬間的な位置を表す信号を生成する評価回路に接続された信号出力カプラとを備え、
前記音響信号の入力結合に起因する前記音響信号伝導体の残留磁化を補償するために、前記音響信号の入力結合後にそれぞれのケースで、前記音響信号により生成された生成された磁界とは反対向きの磁界を前記音響信号伝導体に与える手段を設けたことを特徴とする位置検出装置。
【請求項１３】
前記信号入力カプラによる補償エネルギーとして、少なくとも１つの音響補償信号を前記音響信号伝導体に入力結合するようにしたことを特徴とする請求項１２に記載の位置検出装置。
【請求項１４】
前記音響補償信号は、以前に入力された音響信号よりも長さが短く、かつ振幅が小さく、前記音響信号伝導体の強磁性体のヒステリシス・ループに対応するものであることを特徴とする請求項１３に記載の位置検出装置。
【請求項１５】
強磁性体の音響信号伝導体に沿って移動可能な物体の位置を検出する位置検出装置において、
信号送信器に接続され、前記音響信号伝導体に音響信号をクロック式に入力結合する信号入力カプラと、
前記物体の瞬間的な位置を表す信号を生成する評価回路に接続された信号出力カプラとを備え、
前記音響信号の入力結合後にそれぞれのケースで、入力結合された音響信号とは反対の位相を有するいくつかの音響補償信号を、初めおよびその後のそれぞれのケースで、位相を変化させ、かつ振幅を低減して前記音響信号伝導体に入力結合する手段を設けたことを特徴とする位置検出装置。
【請求項１６】
前記音響補償信号が、指数曲線に従って低下する振幅を有していることを特徴とする請求項１５に記載の位置検出装置。
【請求項１７】
入力結合された前記音響信号と前記音響補償信号との間に、前記音響信号の波長よりも長い時間間隔が提供されることを特徴とする請求項１２又は１５に記載の位置検出装置。
【請求項１８】
前記信号入力カプラが前記移動物体に配置され、前記信号出力カプラが、前記音響信号伝導体の少なくとも一端に隣接して配置されていることを特徴とする請求項１２又は１５に記載の位置検出装置。
【請求項１９】
前記信号入力カプラが前記音響信号伝導体の一端に隣接して配置され、前記信号出力カプラが前記移動物体に配置されていることを特徴とする請求項１２又は１５に記載の位置検出装置。
【請求項２０】
前記音響信号伝導体が少なくとも事実上消磁されるように、前記反対向きの磁界を調整することができることを特徴とする請求項１２又は１５に記載の位置検出装置。
【請求項２１】
前記音響信号によって生成された磁界の過補償が、実質上同じ大きさで、かつ反対方向に実施されるように、前記反対向きの磁界を調整することができることを特徴とする請求項１２又は１５に記載の位置検出装置。
【請求項２２】
前記物体が垂直シャフトに沿って移動可能なリフト・ケージであることを特徴とする請求項１２又は１５に記載の位置検出装置。
【手続補正２】
【補正対象書類名】明細書
【補正対象項目名】０００７
【補正方法】変更
【補正の内容】
【０００７】
【課題を解決するための手段】
上記問題を解決し、本発明の目的を達成するために、請求項１〜請求項２２に記載の発明は、以下のように構成した。
すなわち、請求項１に記載の発明は、強磁性体の音響信号伝導体に沿って移動可能な物体の位置を検出する位置検出方法であって、信号送信器に接続された信号入力カプラによって前記音響信号伝導体に音響信号をクロック式に入力結合するステップと、入力結合された前記音響信号を信号出力カプラによって抽出し、この抽出された信号を評価回路が評価して、前記物体の瞬間的な位置を表す信号を生成するステップとを備え、前記音響信号の入力結合に起因する前記音響信号伝導体の残留磁化を補償するために、前記音響信号を入力結合した後に、前記音響信号により生成される磁界とは反対向きの磁界を与えるようにしたことを特徴とするものである。


【手続補正３】
【補正対象書類名】明細書
【補正対象項目名】０００８
【補正方法】変更
【補正の内容】
【０００８】
請求項２に記載の発明は、請求項１に記載の位置検出方法において、補償エネルギーとして、前記音響信号の位相とは反対の位相を有する音響補償信号を、前記音響信号伝導体に入力結合するようにしたことを特徴とするものである。
請求項３に記載の発明は、請求項２に記載の位置検出方法において、前記音響補償信号は、以前に入力結合された音響信号よりも長さが短く、かつ振幅が小さく、前記音響信号伝導体の強磁性体のヒステリシス・ループに対応するものを使用することを特徴とするものである。


【手続補正４】
【補正対象書類名】明細書
【補正対象項目名】０００９
【補正方法】変更
【補正の内容】
【０００９】
請求項４に記載の発明は、強磁性体の音響信号伝導体に沿って移動可能な物体の位置を検出する位置検出方法であって、信号送信器に接続された信号入力カプラによって前記音響信号伝導体に音響信号をクロック式に入力結合するステップと、入力結合された前記音響信号を信号出力カプラによって抽出し、この抽出された信号を評価回路が評価して、前記物体の瞬間的な位置を表す信号を生成するステップとを備え、前記音響信号を前記音響信号伝導体に入力結合した後にそれぞれのケースで、入力結合された音響信号とは反対の位相を有するいくつかの音響補償信号を、初めおよびその後のそれぞれのケースで、位相を変化させ、かつ振幅を低減して入力結合することを特徴とするものである。


【手続補正５】
【補正対象書類名】明細書
【補正対象項目名】００１０
【補正方法】変更
【補正の内容】
【００１０】
請求項５に記載の発明は、請求項４に記載の位置検出方法において、前記音響補償信号は、指数曲線に従って低下する振幅を有する信号であることを特徴とするものである。
請求項６に記載の発明は、請求項１又は４に記載の位置検出方法において、前記移動物体に位置する前記信号入力カプラが前記移動物体とともに移動し、前記音響信号伝導体の少なくとも一端に隣接する信号出力カプラによって前記音響信号が抽出されることを特徴とするものである。


【手続補正６】
【補正対象書類名】明細書
【補正対象項目名】００１１
【補正方法】変更
【補正の内容】
【００１１】
請求項７に記載の発明は、請求項１又は４に記載の位置検出方法において、前記音響信号伝導体の一端に隣接する信号入力カプラにより前記音響信号伝導体に前記音響信号が入力結合され、該音響信号は前記移動物体に位置する前記信号出力カプラによって抽出されることを特徴とするものである。


【手続補正７】
【補正対象書類名】明細書
【補正対象項目名】００１２
【補正方法】変更
【補正の内容】
【００１２】
請求項８に記載の発明は、請求項１又は４に記載の位置検出方法において、入力結合された音響信号と以降の音響補償信号との間に、前記音響信号の波長よりも長い時間間隔が設定されることを特徴とするものである。
請求項９に記載の発明は、請求項１又は４に記載の位置検出方法において、前記音響信号の入力結合に起因する前記音響信号伝導体の残留磁化が事実上補償されることを特徴とするものである。


【手続補正８】
【補正対象書類名】明細書
【補正対象項目名】００１３
【補正方法】変更
【補正の内容】
【００１３】
請求項１０に記載の発明は、請求項１又は４に記載の位置検出方法において、対応する反対方向の磁界を形成するために、前記音響信号の入力結合に起因する前記音響信号伝導体の残留磁化が過補償されることを特徴とするものである。
請求項１１に記載の発明は、請求項１又は４に記載の位置検出方法において、前記物体が垂直シャフトに沿って移動可能なリフト・ケージであることを特徴とするものである。
請求項１２に記載の発明は、強磁性体の音響信号伝導体に沿って移動可能な物体の位置を検出する位置検出装置において、信号送信器に接続され、前記音響信号伝導体に音響信号をクロック式に入力結合する信号入力カプラと、前記物体の瞬間的な位置を表す信号を生成する評価回路に接続された信号出力カプラとを備え、前記音響信号の入力結合に起因する前記音響信号伝導体の残留磁化を補償するために、前記音響信号の入力結合後にそれぞれのケースで、前記音響信号により生成された生成された磁界とは反対向きの磁界を前記音響信号伝導体に与える手段を設けたことを特徴とするものである。
【手続補正９】
【補正対象書類名】明細書
【補正対象項目名】００１４
【補正方法】変更
【補正の内容】
【００１４】
請求項１３に記載の発明は、請求項１２に記載の位置検出装置において、前記信号入力カプラによる補償エネルギーとして、少なくとも１つの音響補償信号を前記音響信号伝導体に入力結合するようにしたことを特徴とするものである。
請求項１４に記載の発明は、請求項１３に記載の位置検出装置において、前記音響補償信号は、以前に入力された音響信号よりも長さが短く、かつ振幅が小さく、前記音響信号伝導体の強磁性体のヒステリシス・ループに対応するものであることを特徴とするものである。


【手続補正１０】
【補正対象書類名】明細書
【補正対象項目名】００１５
【補正方法】変更
【補正の内容】
【００１５】
請求項１５に記載の発明は、強磁性体の音響信号伝導体に沿って移動可能な物体の位置を検出する位置検出装置において、信号送信器に接続され、前記音響信号伝導体に音響信号をクロック式に入力結合する信号入力カプラと、前記物体の瞬間的な位置を表す信号を生成する評価回路に接続された信号出力カプラとを備え、前記音響信号の入力結合後にそれぞれのケースで、入力結合された音響信号とは反対の位相を有するいくつかの音響補償信号を、初めおよびその後のそれぞれのケースで、位相を変化させ、かつ振幅を低減して前記音響信号伝導体に入力結合する手段を設けたことを特徴とするものである。


【手続補正１１】
【補正対象書類名】明細書
【補正対象項目名】００１６
【補正方法】変更
【補正の内容】
【００１６】
請求項１６に記載の発明は、請求項１５に記載の位置検出装置において、前記音響補償信号が、指数曲線に従って低下する振幅を有していることを特徴とするものである。
請求項１７に記載の発明は、請求項１２又は１５に記載の位置検出装置において、入力結合された前記音響信号と前記音響補償信号との間に、前記音響信号の波長よりも長い時間間隔が提供されることを特徴とするものである。


【手続補正１２】
【補正対象書類名】明細書
【補正対象項目名】００１７
【補正方法】変更
【補正の内容】
【００１７】
請求項１８に記載の発明は、請求項１２又は１５に記載の位置検出装置において、前記信号入力カプラが前記移動物体に配置され、前記信号出力カプラが、前記音響信号伝導体の少なくとも一端に隣接して配置されていることを特徴とするものである。
請求項１９に記載の発明は、請求項１２又は１５に記載の位置検出装置において、前記信号入力カプラが前記音響信号伝導体の一端に隣接して配置され、前記信号出力カプラが前記移動物体に配置されていることを特徴とするものである。


【手続補正１３】
【補正対象書類名】明細書
【補正対象項目名】００１８
【補正方法】変更
【補正の内容】
【００１８】
請求項２０に記載の発明は、請求項１２又は１５に記載の位置検出装置において、前記音響信号伝導体が少なくとも事実上消磁されるように、前記反対向きの磁界を調整することができることを特徴とするものである。
請求項２１に記載の発明は、請求項１２又は１５に記載の位置検出装置において、前記音響信号によって生成された磁界の過補償が、実質上同じ大きさで、かつ反対方向に実施されるように、前記反対向きの磁界を調整することができることを特徴とするものである。
請求項２２に記載の発明は、請求項１２又は１５に記載の位置検出装置において、前記物体が垂直シャフトに沿って移動可能なリフト・ケージであることを特徴とするものである。